(57)【要約】【課題】記録媒体へのトナー像の転写時に像担持体の表面速度と記録媒体の搬送速度を等速に保つことで、高品質画像を出力可能な画像形成装置を提供すること。【解決手段】回転駆動する駆動ローラと、前記駆動ローラとの間で記録媒体を挟持搬送する従動ローラと、前記駆動ローラ及び前記従動ローラに対して前記記録媒体の搬送方向下流側で、表面にトナー像を担持して回転する像担持体と、前記駆動ローラ及び前記従動ローラから受け渡される前記記録媒体を前記像担持体との間で挟持搬送し、前記記録媒体の表面に前記トナー像を転写する転写ローラと、前記記録媒体が前記像担持体と前記転写ローラとの間に到達し、前記像担持体及び前記転写ローラにより前記記録媒体の搬送が開始された時に、前記駆動ローラ及び前記従動ローラによる前記記録媒体への搬送力の供給を停止し、前記像担持体及び前記転写ローラに前記記録媒体を搬送させる搬送制御手段とを備える画像形成装置。【選択図】図２
2013225116.tif 000002
【特許請求の範囲】
【請求項１】
回転駆動する駆動ローラと、
前記駆動ローラとの間で記録媒体を挟持搬送する従動ローラと、
前記駆動ローラ及び前記従動ローラに対して前記記録媒体の搬送方向下流側で、表面にトナー像を担持して回転する像担持体と、
前記駆動ローラ及び前記従動ローラから受け渡される前記記録媒体を前記像担持体との間で挟持搬送し、前記記録媒体の表面に前記トナー像を転写する転写ローラと、
前記記録媒体が前記像担持体と前記転写ローラとの間に到達し、前記像担持体及び前記転写ローラにより前記記録媒体の搬送が開始された時に、前記駆動ローラ及び前記従動ローラによる前記記録媒体への搬送力の供給を停止し、前記像担持体及び前記転写ローラに前記記録媒体を搬送させる搬送制御手段とを備える
ことを特徴とする画像形成装置。
【請求項２】
前記駆動ローラ及び前記従動ローラと、前記像担持体及び前記転写ローラとの間を搬送される前記記録媒体が通過するのを検知する記録媒体検知手段を備え、
前記搬送制御手段は、前記記録媒体検知手段による前記記録媒体の検知結果、前記記録媒体検知手段と前記像担持体及び前記転写ローラとの間の距離、前記駆動ローラ及び前記従動ローラによる前記記録媒体の搬送速度に基づき、前記記録媒体が前記像担持体と前記転写ローラとの間に到達し、前記像担持体及び前記転写ローラにより前記記録媒体の搬送が開始された時を判断する
ことを特徴とする請求項１に記載の画像形成装置。
【請求項３】
前記駆動ローラを回転駆動させる駆動手段と、
前記駆動手段の駆動力を前記駆動ローラに伝達する伝達機構に設けられ、前記駆動力を伝達又は遮断する電磁クラッチと、を備え
前記搬送制御手段は、前記記録媒体が前記像担持体と前記転写ローラとの間に到達し、前記像担持体及び前記転写ローラにより前記記録媒体の搬送が開始された時に、前記電磁クラッチを制御して前記駆動力を遮断する
ことを特徴とする請求項１又は２に記載の画像形成装置。
【請求項４】
前記駆動ローラ及び前記従動ローラのうちの何れか一方を他方に対して接離する方向に移動させる接離機構を備え、
前記搬送制御手段は、前記記録媒体が前記像担持体と前記転写ローラとの間に到達し、前記像担持体及び前記転写ローラにより前記記録媒体の搬送が開始された時に、前記接離機構により前記従動ローラと前記駆動ローラとを離間させる
ことを特徴とする請求項１又は２に記載の画像形成装置。
【請求項５】
前記接離機構は、
前記駆動ローラ又は前記従動ローラの回転軸を支持し、支点を中心に回動可能に設けられる支持部材と、
前記駆動ローラと前記従動ローラとが当接する方向に前記支持部材を付勢する付勢手段と、
前記支持部材に当接して回転することで、前記支持部材を回動させて前記駆動ローラと前記従動ローラとを接離させる偏心カムとを備える
ことを特徴とする請求項４に記載の画像形成装置。
【請求項６】
前記接離機構は、
前記駆動ローラ又は前記従動ローラの回転軸を支持し、支点を中心に回動可能に設けられる支持部材と、
前記駆動ローラと前記従動ローラとが当接する方向に前記支持部材を付勢する付勢手段と、
前記支持部材を回動させて前記駆動ローラと前記従動ローラとを接離させるソレノイドとを備える
ことを特徴とする請求項４に記載の画像形成装置。
【発明の詳細な説明】
【技術分野】
【０００１】
本発明は、画像形成装置に関する。
【背景技術】
【０００２】
画像形成装置では、感光体上に形成されたトナー像を中間転写ベルトに転写し、中間転写ベルトと中間転写ベルトに当接する転写ローラとの間で用紙にトナー像を２次転写するプロセスを経て、用紙上に画像を印刷して出力する構成が実用化されている。
【０００３】
トナー像を用紙に２次転写する時に、回転する中間転写ベルトの表面速度と用紙の搬送速度との間に速度差があると、中間転写ベルト上のトナー像が用紙に転写される位置がずれ、画像位置ずれ、濃度むら等が生じて画像品質が低下すると共に、両面印刷時には表裏見当精度が低下してしまう。
【０００４】
そこで、転写ローラを駆動する駆動手段と転写ローラとの間の駆動伝達経路上に、転写ローラと中間転写ベルトとの当接時のトルク未満で駆動を伝達するトルクリミッタを設け、転写ローラと中間転写ベルトとの当接時には転写ローラを中間転写ベルトに従動して回転させる構成が知られている（例えば特許文献１参照）。
【０００５】
この様な構成によれば、転写ローラが中間転写ベルトに従動して回転することで、中間転写ベルトの表面速度と用紙の搬送速度とを等速に保ち、転写位置のずれ等による画像品質の低下を防止できる。
【発明の概要】
【発明が解決しようとする課題】
【０００６】
ここで、中間転写ベルト及び転写ローラの上流側には、用紙を中間転写ベルト及び転写ローラに供給するために上流側搬送手段を設ける必要がある。この様な構成において、用紙は上流側搬送手段により搬送され、上流側搬送手段と中間転写ベルト及び転写ローラとに架け渡されて両方で搬送される状態を経て、中間転写ベルト及び転写ローラに受け渡される。
【０００７】
このとき、上流側搬送手段と中間転写ベルト及び転写ローラとの間で用紙搬送速度に差異があると、中間転写ベルト及び転写ローラとの間に進入した用紙が上流側搬送手段によって押される又は引っ張られることになる。したがって、この様な場合には中間転写ベルトの表面速度と用紙の搬送速度との間に速度差が生じ、画像位置ずれ等が生じて画像品質が低下する可能性がある。上記した様に転写ローラを中間転写ベルトに従動させる様に構成しても、上流側搬送手段との間の搬送速度差がある場合には、画像品質が低下する可能性がある。
【０００８】
本発明は上記に鑑みてなされたものであって、記録媒体へのトナー像の転写時に像担持体の表面速度と記録媒体の搬送速度を等速に保つことで、高品質画像を出力可能な画像形成装置を提供することを目的とする。
【課題を解決するための手段】
【０００９】
本発明の一態様の画像形成装置によれば、回転駆動する駆動ローラと、前記駆動ローラとの間で記録媒体を挟持搬送する従動ローラと、前記駆動ローラ及び前記従動ローラに対して前記記録媒体の搬送方向下流側で、表面にトナー像を担持して回転する像担持体と、前記駆動ローラ及び前記従動ローラから受け渡される前記記録媒体を前記像担持体との間で挟持搬送し、前記記録媒体の表面に前記トナー像を転写する転写ローラと、前記記録媒体が前記像担持体と前記転写ローラとの間に到達し、前記像担持体及び前記転写ローラにより前記記録媒体の搬送が開始された時に、前記駆動ローラ及び前記従動ローラによる前記記録媒体への搬送力の供給を停止し、前記像担持体及び前記転写ローラに前記記録媒体を搬送させる搬送制御手段とを備える。
【発明の効果】
【００１０】
本発明の実施形態によれば、記録媒体へのトナー像の転写時に像担持体の表面速度と記録媒体の搬送速度を等速に保つことで、高品質画像を出力可能な画像形成装置を提供できる。
【図面の簡単な説明】
【００１１】
【図１】第１の実施形態に係る画像形成装置の概略構成を例示する図である。
【図２】第１の実施形態における２次転写部と上流側搬送手段の概略構成を例示する図である。
【図３】第１の実施形態においてタイミングセンサの検知結果に基づいて電磁クラッチを制御するタイミングを例示する図である。
【図４】第２の実施形態における２次転写部と上流側搬送手段の概略構成を例示する図である。
【図５】第２の実施形態においてタイミングセンサの検知結果に基づいて転写ローラを接離するタイミングを例示する図である。
【図６】第３の実施形態における２次転写部と上流側搬送手段の概略構成を例示する図である。
【発明を実施するための形態】
【００１２】
以下、図面を参照して発明を実施するための形態について説明する。各図面において、同一構成部分には同一符号を付し、重複した説明を省略する場合がある。
【００１３】
［第１の実施形態］
＜画像形成装置の構成＞
図１は、第１の実施形態に係る画像形成装置１００の概略構成を例示する図である。
【００１４】
画像形成装置１００は、感光体１０、帯電装置１１、露光装置１２、現像装置１３、中間転写ベルト２０、転写ローラ３０、定着装置４０、自動原稿送り装置（ＡＤＦ）５０、読取装置５１等を備え、用紙トレイ６０に収納されている記録媒体としての用紙Ｐに画像を印刷して出力する複合機である。
【００１５】
画像形成装置１００において、用紙Ｐに画像を印刷する場合には、まず回転する感光体１０の表面を帯電装置１１が一様に帯電させ、ＡＤＦ５０にセットされた原稿を読取装置５１が読み取った画像データ等に基づいて露光装置１２が感光体１０の表面を露光して静電潜像を形成する。次に、内部にトナーを含む現像剤を収容する現像装置１３が感光体１０の表面の静電潜像を現像してトナー像を形成する。画像形成装置１００は、複数の感光体１０、現像装置１３等を備え、それぞれ異なる色のトナー像を形成した後、回転する中間転写ベルト２０にトナー像を重ねて転写する。
【００１６】
中間転写ベルト２０に転写されたトナー像は、中間転写ベルト２０と転写ローラ３０との間の２次転写部にて、用紙トレイ６０から搬送される用紙Ｐに２次転写される。トナー像が転写された用紙Ｐは、さらに搬送されて定着装置４０で加熱及び加圧されてトナー像が定着されて排紙トレイ６１に排出される。
【００１７】
トナー像を中間転写ベルト２０に転写した後の感光体１０は、クリーニング装置１４によって表面の転写残トナーが除去されて次回の画像形成に備えられる。
【００１８】
＜２次転写部と上流側搬送手段の構成＞
図２は、第１の実施形態における２次転写部と２次転写部の上流側搬送手段の概略構成を例示する図である。
【００１９】
用紙Ｐは、上流側搬送手段としての駆動ローラ７１、従動ローラ７２によって、回転する中間転写ベルト２０に伴って表面のトナー像９０が２次転写部に到達するタイミングで中間転写ベルト２０と転写ローラ３０との間に搬送される。
【００２０】
駆動ローラ７１は、駆動手段の一例としてのモータ８２に伝達機構を介して接続し、モータ８２の駆動力を受けて図中矢印方向に回転駆動する。駆動ローラ７１とモータ８２との間の伝達機構には電磁クラッチ８１が設けられており、電磁クラッチ８１は、搬送制御手段７９により制御されてモータ８２からの駆動力を駆動ローラ７１に伝達又は遮断する。
【００２１】
従動ローラ７２は、駆動ローラ７１に対向して設けられ、回転する駆動ローラ７１との間で用紙Ｐを挟持搬送する。従動ローラ７２は、用紙Ｐの搬送時には搬送される用紙Ｐに従動して回転する。
【００２２】
中間転写ベルト２０は、複数のローラに架け渡されて回転する無端状ベルトであり、感光体１０から重ねて転写されるトナー像９０を伴って回転移動する。中間転写ベルト２０は、転写ローラ３０に対向して設けられている支持ローラ３１により内周側から支持され、支持ローラ３１と転写ローラ３０との間で搬送される用紙Ｐにトナー像９０を転写する。
【００２３】
転写ローラ３０は、用紙Ｐへのトナー像９０の転写時には中間転写ベルト２０を介して支持ローラ３１に用紙Ｐを押圧する。転写ローラ３０は、不図示の駆動手段により、中間転写ベルト２０の表面速度に等しい周速で回転する。
【００２４】
なお、用紙Ｐへのトナー像の転写時に中間転写ベルト２０の表面速度と転写ローラ３０の周速が等しくなる様に、例えば転写ローラ３０を駆動する駆動手段と転写ローラ３０との間の伝達機構にトルクリミッタ等を設けても良い。中間転写ベルト２０と転写ローラ３０との当接時のトルク以下にトルクリミッタの制限トルクを設けることで、転写ローラ３０は中間転写ベルト２０への当接時に従動して回転することとなり、トナー像の転写時に中間転写ベルト２０の表面速度と転写ローラ３０の周速を等速に保つことができる。
【００２５】
また、用紙Ｐへのトナー像９０の転写時以外は、中間転写ベルト２０との接触による表面の磨耗を防ぐために、転写ローラ３０を中間転写ベルト２０から離間させる接離機構を設けても良い。
【００２６】
駆動ローラ７１及び従動ローラ７２と、中間転写ベルト２０及び転写ローラ３０との間隔は、画像形成装置１００が画像を印刷する用紙Ｐの最小サイズの搬送方向長さ未満に設けられている。
【００２７】
また、駆動ローラ７１及び従動ローラ７２と、中間転写ベルト２０及び転写ローラ３０との間には、記録媒体検知手段の一例としてのタイミングセンサ８０が設けられている。
【００２８】
タイミングセンサ８０は、例えば透過型、反射型等の光センサであり、駆動ローラ７１及び従動ローラ７２と、中間転写ベルト２０及び転写ローラ３０との間を搬送される用紙Ｐの先端部が通過するのを検知する。タイミングセンサ８０を設ける位置は、用紙Ｐが中間転写ベルト２０と転写ローラ３０との間の２次転写部に到達する時間を精度良く検知するために、可能な範囲で２次転写部に近付けて設けることが好ましい。
【００２９】
搬送制御手段７９は、タイミングセンサ８０、電磁クラッチ８１に接続し、タイミングセンサ８０の検知結果等に基づいて電磁クラッチ８１を制御し、モータ８２から駆動ローラ７１への駆動力を伝達又は遮断する。搬送制御手段７９は、モータ８２から駆動ローラ７１への駆動力を遮断することで、駆動ローラ７１及び従動ローラ７２から用紙Ｐへの搬送力の供給を停止させる。搬送制御手段７９は、例えば画像形成装置１００が備えるＣＰＵがＲＯＭ，ＲＡＭ等の記憶手段が記憶するプログラムを実行することにより実現される。
【００３０】
＜用紙搬送制御について＞
図２に例示する構成において、用紙Ｐが中間転写ベルト２０と転写ローラ３０との間に到達し、中間転写ベルト２０及び転写ローラ３０により用紙Ｐの搬送が開始された時に、搬送制御手段７９が電磁クラッチ８１を制御してモータ８２から駆動ローラ７１への駆動力を遮断する。モータ８２から駆動ローラ７１への駆動力が遮断されることで、駆動ローラ７１及び従動ローラ７２から用紙Ｐへの搬送力の供給が停止され、用紙Ｐは中間転写ベルト２０及び転写ローラ３０により挟持搬送される。この時、用紙Ｐの後端を挟持する駆動ローラ７１及び従動ローラ７２は、中間転写ベルト２０及び転写ローラ３０により搬送される用紙Ｐに従動して回転する。
【００３１】
この様な制御により、用紙Ｐへのトナー像９０の転写時に駆動ローラ７１が用紙搬送速度に与える影響を無くし、用紙Ｐの搬送速度と中間転写ベルト２０の表面速度との間に生じる差異による画像位置ずれ等の画像品質低下を防止できる。
【００３２】
搬送制御手段７９は、タイミングセンサ８０による用紙Ｐの先端検知結果と、タイミングセンサ８０と中間転写ベルト２０及び転写ローラ３０との間の距離と、用紙Ｐの搬送速度とに基づいて、用紙Ｐが中間転写ベルト２０と転写ローラ３０との間に到達するタイミングを判断する。
【００３３】
例えば、タイミングセンサ８０と中間転写ベルト２０及び転写ローラ３０との間の距離をＬ、用紙Ｐの搬送速度をｖとすると、タイミングセンサ８０が用紙Ｐの先端通過を検知してから、用紙Ｐの先端が中間転写ベルト２０と転写ローラ３０との間に到達する時間Ｓ１は、以下の式（１）で表される。
【００３４】
Ｓ１  ＝  Ｌ／ｖ  ・・・  （１）
Ｌ：タイミングセンサ８０と中間転写ベルト２０及び転写ローラ３０との間の距離
ｖ：用紙Ｐの搬送速度
ここで、用紙Ｐ先端の非印刷領域の搬送方向の長さをａとすると、用紙Ｐ先端の非印刷領域が中間転写ベルト２０と転写ローラ３０との間を通過する時間Ｓ２は、以下の式（２）で表される。
【００３５】
Ｓ２  ＝  （Ｌ＋ａ）／ｖ
ａ：用紙Ｐ先端の非印刷領域の搬送方向の長さ
搬送制御手段７９は、式（１）により求められる時間Ｓ１と式（２）により求められる時間Ｓ２との間の時間Ｔにて、モータ８２から駆動ローラ７１への駆動力を遮断する様に電磁クラッチ８１を制御する。
【００３６】
図３は、第１の実施形態においてタイミングセンサ８０の検知結果に基づいて電磁クラッチ８１を制御するタイミングを例示する図である。
【００３７】
図３に示す様に、搬送制御手段７９は、式（１）及び式（２）から求められる時間Ｓ１と時間Ｓ２との間の時間Ｔで、モータ８２から駆動ローラ７１への駆動力を遮断する。駆動ローラ７１への駆動力が遮断されることで、中間転写ベルト２０及び転写ローラ３０は、トナー像９０の転写時に駆動ローラ７１からの影響を受けずに用紙Ｐを挟持搬送できる。したがって、トナー像９０の転写時において、用紙Ｐの搬送速度と中間転写ベルト２０の表面速度に差異が生じることがなく、トナー像９０を用紙Ｐに位置ずれ等を招くことなく転写し、高品質画像を得ることが可能になる。また、両面印刷時には、表裏見当精度が高い画像を出力することが可能になる。
【００３８】
なお、第１の実施形態に係る画像形成装置１００は、中間転写ベルト２０上のトナー像を用紙Ｐに２次転写する構成であるが、例えば像担持体としての感光体１０に形成されるトナー像を感光体１０と転写ローラ３０との間で用紙Ｐに転写する構成の画像形成装置に本発明を適用することも可能である。この場合においても、感光体１０と転写ローラ３０との間に用紙Ｐが到達し、感光体１０及び転写ローラ３０による用紙Ｐの搬送が開始された時に、上流側搬送手段の駆動ローラ７１への駆動力を電磁クラッチ８１により遮断することで、トナー像の転写時において感光体１０の周速と用紙Ｐの搬送速度とを等速に保つことができる。したがって、同様にトナー像の転写位置ずれ等による画像品質の低下を防止し、高品質画像を出力することが可能である。
【００３９】
また、駆動ローラ７１とモータ８２との間に電磁クラッチ８１を設けず、搬送制御手段７９が上記した時間Ｓ１と時間Ｓ２との間の時間Ｔでモータ８２の電源を遮断する様に構成しても良い。この場合には、電源遮断後に用紙Ｐに従動して回転する駆動ローラ７１への影響を低減するために、モータ８２として例えばＤＣモータを用いることが好ましい。
【００４０】
[第２の実施形態]
次に、第２の実施形態について図面に基づいて説明する。なお、既に説明した実施形態と同一構成部分についての説明は省略する。第２の実施形態では、駆動ローラ７１とモータ８２との間に電磁クラッチ８１を設けず、従動ローラ７２を駆動ローラ７１に対して接離する方向に移動させる接離機構を備える点で、第１の実施形態と異なっている。
【００４１】
図４は、第２の実施形態における２次転写部と上流側搬送手段の概略構成を例示する図である。
【００４２】
図４に示す様に、従動ローラ７２の接離機構は、支持部材７３、ばね７６、偏心カム７５を含んで構成されている。
【００４３】
支持部材７３は、従動ローラ７２の回転軸を支持し、支点７４を中心に回動可能に設けられている部材である。
【００４４】
ばね７６は、支点７４に対して従動ローラ７２の反対側で支持部材７３に接触し、従動ローラ７２が駆動ローラ７１に当接又は紙を介して押圧する方向に支持部材７３を付勢する付勢手段の一例である。
【００４５】
偏心カム７５は、支点７４に対して従動ローラ７２の反対側で支持部材７３に当接し、搬送制御手段７９に制御される例えば不図示のモータにより回転することで、支持部材７３を回動させて従動ローラ７２を駆動ローラ７１に対して接離する方向に移動させる。
【００４６】
搬送制御手段７９は、タイミングセンサ８０、偏心カム７５を回転させるモータに接続する。搬送制御手段７９は、用紙Ｐが中間転写ベルト２０と転写ローラ３０との間に到達し、中間転写ベルト２０及び転写ローラ３０による用紙Ｐの搬送が開始された時に、偏心カム７５を回転させることで従動ローラ７２を駆動ローラ７１から離間させる。
【００４７】
図５は、第２の実施形態においてタイミングセンサ８０の検知結果に基づいて電磁クラッチ８１を制御するタイミングを例示する図である。
【００４８】
図５に示す時間Ｓ１は、用紙Ｐがタイミングセンサ８０に検知されてから、中間転写ベルト２０と転写ローラ３０との間に到達するまでの時間であり、上式（１）により求められる。また、時間Ｓ２は、用紙Ｐがタイミングセンサ８０に検知されてから、用紙Ｐの非印刷領域が中間転写ベルト２０と転写ローラ３０との間を通過するまでの時間であり、上式（２）により求められる。
【００４９】
搬送制御手段７９は、時間Ｓ１と時間Ｓ２との間の時間Ｔにて、偏心カム７５を回転させて支持部材７３を回動させることで、従動ローラ７２を駆動ローラ７１に対して離間させる。駆動ローラ７１と従動ローラ７２とが離間することで、用紙Ｐは駆動ローラ７１からの影響を受けずに中間転写ベルト２０及び転写ローラ３０のみで挟持搬送されることになる。したがって、トナー像９０の転写時において、用紙Ｐの搬送速度と中間転写ベルト２０の表面速度との間に差異が生じるのを防止し、トナー像９０を用紙Ｐに位置ずれ等を招くことなく転写することで高品質画像を得ることが可能になる。また、両面印刷時には、表裏見当精度が高い画像を出力することが可能になる。
【００５０】
なお、同様の構成で駆動ローラ７１が従動ローラ７２に対して接離する方向に移動する様に接離機構を設けることもできる。この場合には、移動する駆動ローラ７１にモータ８２からの駆動力が伝達される様に、例えば駆動ローラ７１の回転軸にフレキシブルな継手やカップリング等を設けてモータ８２の軸やギヤ等と接続する様に設けることが好ましい。
【００５１】
[第３の実施形態]
次に、第３の実施形態について図面に基づいて説明する。なお、既に説明した実施形態と同一構成部分についての説明は省略する。第３の実施形態は、従動ローラ７２を駆動ローラ７１に対して接離する方向に移動させる接離機構の構成が第２の実施形態と異なっている。
【００５２】
図６は、第３の実施形態における２次転写部と上流側搬送手段の概略構成を例示する図である。
【００５３】
図６に示す様に、従動ローラ７２の接離機構は、支持部材７３、ばね７６、ソレノイド７７を含んで構成されている。
【００５４】
支持部材７３は、従動ローラ７２の回転軸を支持し、支点７４を中心に回動可能に設けられている部材である。
【００５５】
ばね７６は、支点７４に対して従動ローラ７２の反対側で支持部材７３に接触し、従動ローラ７２が駆動ローラ７１に当接又は紙を介して押圧する方向に支持部材７３を付勢する付勢手段の一例である。
【００５６】
ソレノイド７７は、搬送制御手段７９により制御されて支持部材７３を回動させることで、従動ローラ７２を駆動ローラ７１に対して接離する方向に移動させる。
【００５７】
搬送制御手段７９は、タイミングセンサ８０、ソレノイド７７に接続する。搬送制御手段７９は、用紙Ｐが中間転写ベルト２０と転写ローラ３０との間に到達し、中間転写ベルト及び転写ローラ３０による用紙Ｐの搬送が開始された時に、ソレノイド７７により支持部材７３を回動させることで従動ローラ７２を駆動ローラ７１から離間させる。
【００５８】
図５に示す様に、搬送制御手段７９は、時間Ｓ１と時間Ｓ２との間の時間Ｔにて、ソレノイド７７により支持部材７３を回動させることで、従動ローラ７２を駆動ローラ７１に対して離間させる。駆動ローラ７１と従動ローラ７２とが離間することで、用紙Ｐは駆動ローラ７１からの影響を受けずに中間転写ベルト２０及び転写ローラ３０のみで挟持搬送されることになる。したがって、トナー像９０の転写時において、用紙Ｐの搬送速度と中間転写ベルト２０の表面速度に差異が生じるのを防止し、トナー像９０を用紙Ｐに位置ずれ等を招くことなく転写して高品質画像を得ることが可能になる。また、両面印刷時には、表裏見当精度が高い画像を出力することが可能になる。
【００５９】
なお、同様の構成で駆動ローラ７１が従動ローラ７２に対して接離する方向に移動する様に接離機構を設けることもできる。この場合には、移動する駆動ローラ７１にモータ８２からの駆動力が伝達される様に、例えば駆動ローラ７１の回転軸にフレキシブルな継手やカップリング等を設けてモータ８２の軸やギヤ等と接続する様に設けることが好ましい。
【００６０】
以上、本発明の実施形態について説明したが、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【００６１】
２０  中間転写ベルト（像担持体）
３０  転写ローラ
７１  駆動ローラ
７２  従動ローラ
７３  支持部材
７４  支点
７５  偏心カム
７６  バネ（付勢手段）
７７  ソレノイド
７９  搬送制御手段
８０  タイミングセンサ（記録媒体検知手段）
８１  電磁クラッチ
８２  モータ（駆動手段）
１００  画像形成装置
【先行技術文献】
【特許文献】
【００６２】
【特許文献１】特開平１１−５２７５７号公報
【図１】
2013225116.tif 000003
【図２】
2013225116.tif 000004
【図３】
2013225116.tif 000005
【図４】
2013225116.tif 000006
【図５】
2013225116.tif 000007
【図６】
2013225116.tif 000008